【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
ライターであって、
一回分の燃料を有するハウジングと、
点火機能における少なくとも１つの段階を選択的に行うように前記ハウジングと可動的に関連付けられた作動部材と、
前記作動部材を大力モードから小力モードに選択的に変更するための、前記ハウジングと関連付けられたラッチ組立体とを有し、前記大力モードでは、前記点火機能における前記少なくとも１つの段階を実行するのに第１の作動力を前記作動部材に加えなければならず、前記小力モードでは、前記点火機能における前記少なくとも１つの段階を実行するのに第２の作動力を前記作動部材に加えなければならず、前記第１の差動力が前記第２の作動力よりも大きく、
前記作動部材を前記大力モードから前記小力モードに変更するには、前記ラッチ組立体の少なくとも一部を少なくとも２つの互いに異なる方向に動かさなければならない、
ライター。
【請求項２】
前記２つの互いに異なる方向は、互いに実質的に横断している、請求項１記載のライター。
【請求項３】
前記ラッチ組立体は、第１の方向に所定距離動かされ、その後第２の別の方向に動かされて作動部材を大力モードから小力モードに変更するような形状寸法になっている、請求項１記載のライター。
【請求項４】
前記ラッチ組立体は、前記ラッチ組立体が先ず最初に前記第１の方向に所定距離動かされないならば、前記第２の方向の運動が実質的に阻止される、請求項３記載のライター。
【請求項５】
前記ラッチ組立体の一部は常態では、前記第２の方向における前記ラッチ組立体の運動を実質的に妨害する妨害壁に係合する、請求項４記載のライター。
【請求項６】
前記第１の方向における前記ラッチ組立体の所定の運動は、前記ラッチ組立体の前記一部を動かして前記妨害壁との係合から離脱させる、請求項５記載のライター。
【請求項７】
前記ラッチ組立体は、前記ラッチ組立体の前記一部が前記妨害壁に係合する位置に弾性的に付勢されている、請求項５記載のライター。
【請求項８】
前記ラッチ組立体を前記ラッチ組立体の前記一部が前記妨害壁に係合する位置に付勢する弾性部材を更に有する、請求項７記載のライター。
【請求項９】
前記弾性部材は、コイルばね、板ばね及びエラストマーから成る群から選択される、請求項８記載のライター。
【請求項１０】
前記弾性部材は、前記ラッチ組立体内に設けられたチャンバ内に収納されている、請求項８記載のライター。
【請求項１１】
前記弾性部材は、前記ハウジング内に収納されている、請求項８記載のライター。
【請求項１２】
前記妨害壁は、前記ハウジング又は前記作動部材に設けられている、請求項５記載のライター。
【請求項１３】
前記ラッチ組立体を先に前記第１の方向に所定距離動かさないで前記ラッチ組立体を前記第２の方向に動かしても、前記作動部材は大力モードから小力モードに変更されない、請求項３記載のライター。
【請求項１４】
前記ラッチ組立体の一部は、プランジャ部材に係合して前記作動部材を大力モードから小力モードに変更し、前記ラッチ組立体の前記一部は常態では、もし前記ラッチ組立体が前記第１の方向に所定距離動かされなければ、前記プラジャ部材の一部と非整列状態にある、請求項１３記載のライター。
【請求項１５】
前記ラッチ組立体の前記一部は常態では、もし前記ラッチ組立体が前記第１の方向に所定距離動かされなければ、前記プラジャ部材に設けられた孔と整列する、請求項１４記載のライター。
【請求項１６】
前記プランジャ部材の前記一部は常態では、もし前記ラッチ組立体が前記第１の方向に所定距離動かされなければ、前記ラッチ組立体に設けられた孔と整列する、請求項１４記載のライター。
【請求項１７】
前記ラッチ組立体は、ラッチ部材に可動的に取り付けられたラッチアクチュエータを含み、前記作動部材を大力モードから小力モードに変更するには前記ラッチアクチュエータを第１の方向に所定距離動かし、その後ラッチ部材を第２の異なる方向に動かすことができるようにしなければならない、請求項１記載のライター。
【請求項１８】
前記ラッチアクチュエータは、前記ラッチ部材に摺動自在に取り付けられている、請求項１７記載のライター。
【請求項１９】
前記ラッチ組立体は、一体形ラッチ部材である、請求項１記載のライター。
【請求項２０】
前記第１の作動力は、約１０ｋｇ以下である、請求項１記載のライター。
【請求項２１】
前記点火機能における前記少なくとも１つの段階は、火花を発生させることである、請求項１記載のライター。
【請求項２２】
前記点火機能における前記少なくとも１つの段階は、前記燃料を放出することである、請求項１記載のライター。
【請求項２３】
前記作動部材は、選択的に燃料を放出して火花を発生させて火炎を生じさせる、請求項１記載のライター。
【請求項２４】
前記ライターは、延長されたワンドを有する実用ライターである、請求項１記載のライター。
【請求項２５】
前記作動部材を所定距離動かし、その後前記ラッチ部材を第１の方向に所定距離動かすことにより、前記ラッチ部材を第２の方向に押し下げるのに必要な力の大きさが増大する、請求項１記載のライター。
【請求項２６】
前記プランジャ部材は、第１の係合面を有し、前記作動部材は、前記作動部材を所定距離動かし、その後前記ラッチ部材を前記第２の方向に所定距離動かした場合、前記第１の係合面に係合する第２の係合面を有する、請求項２５記載のライター。
【請求項２７】
ライターであって、
１回分の燃料を有するハウジングと、
点火機能における少なくとも１つの段階を選択的に行うように前記ハウジングと可動的に関連付けられた作動部材と、
前記作動部材を大力モードから小力モードに選択的に変更するための、前記ハウジングと関連付けられたラッチ部材とを有し、前記大力モードでは、前記点火機能における前記少なくとも１つの段階を実行するのに第１の作動力を前記作動部材に加えなければならず、前記小力モードでは、前記点火機能における前記少なくとも１つの段階を実行するのに第２の作動力を前記作動部材に加えなければならず、前記第１の差動力が前記第２の作動力よりも大きく、
前記ラッチ部材に取り付けられていて、第１の位置と第２の位置との間で動くことができるラッチアクチュエータとを有し、
前記ラッチアクチュエータが前記第１の位置にあるとき、前記ラッチ部材は、前記作動部材を前記大力モードから前記小力モードに動かすことができず、前記ラッチ部材が前記第２の位置にあるとき、前記ラッチ部材は、前記作動部材を前記大力モードから前記小力モードに動かすことができる、ライター。
【請求項２８】
前記ラッチアクチュエータは、前記第１の位置に弾性的に付勢されている、請求項２７記載のライター。
【請求項２９】
前記ラッチ部材を前記第１の位置に付勢する弾性部材を更に有する、請求項２８記載のライター。
【請求項３０】
前記弾性部材は、コイルばね、板ばね及びエラストマーから成る群から選択される、請求項２９記載のライター。
【請求項３１】
前記弾性部材は、前記ラッチ部材又は前記アクチュエータ内に収納されている、請求項２９記載のライター。
【請求項３２】
前記弾性部材は、前記ハウジング内に収納されている、請求項２９記載のライター。
【請求項３３】
前記ラッチアクチュエータは、前記第１の位置と前記第２の位置との間で第１の方向に動くことができ、前記ラッチ部材は、前記作動部材を前記大力モードから前記小力モードに変更するよう第２の異なる方向に動くことができる、請求項２７記載のライター。
【請求項３４】
前記第２の方向は、前記第１の方向に対して実質的に横断方向である、請求項３３記載のライター。
【請求項３５】
前記ラッチアクチュエータは、前記ラッチ部材に摺動自在に取り付けられている、請求項２７記載のライター。
【請求項３６】
前記ラッチアクチュエータが前記第１の位置にあるとき、前記ラッチ部材は、前記作動部材を前記大力モードから前記小力モードに変更するよう動くのが阻止される、請求項２７記載のライター。
【請求項３７】
前記ラッチ部材に取り付けられたボスを更に有し、前記ボスは、前記ラッチアクチュエータが前記第１の位置にあるとき、前記作動部材又は前記ハウジングに設けられた妨害壁に係合して前記ラッチ部材の運動を実質的に阻止する、請求項３６記載のライター。
【請求項３８】
前記ラッチアクチュエータは、前記作動部材を前記大力モードから前記小力モードに変更するようプランジャ部材に係合するボスを有し、前記ボスは、前記ラッチアクチュエータが前記第１の位置にあるとき、前記プランジャ部材から離脱している、請求項２７記載のライター。
【請求項３９】
前記ボスは、前記ラッチアクチュエータが前記第１の位置にあるとき、前記プラジャ部材に設けられた孔と整列する、請求項３８記載のライター。
【請求項４０】
前記ボスは、もし前記ラッチアクチュエータが前記第２の位置にあり、前記作動部材が所定位置に動かされなければ、前記プラジャ部材から離脱している、請求項３８記載のライター。
【請求項４１】
前記ラッチ部材を動かして前記作動部材を前記大力モードから前記小力モードに変更することができる前に、前記ラッチアクチュエータを前記第２の位置に動かすことができなければならず且つ前記作動部材を所定位置に動かさなければならない、請求項４０記載のライター。
【請求項４２】
前記第１の作動力は、約１０ｋｇ以下である、請求項２７記載のライター。
【請求項４３】
前記点火機能における前記少なくとも１つの段階は、火花を発生させることである、請求項２７記載のライター。
【請求項４４】
前記点火機能における前記少なくとも１つの段階は、前記燃料を放出することである、請求項２７記載のライター。
【請求項４５】
前記作動部材は、選択的に燃料を放出して火花を発生させて火炎を生じさせる、請求項２７記載のライター。
【請求項４６】
前記ライターは、延長されたワンドを有する実用ライターである、請求項２７記載のライター。
【請求項４７】
ライターであって、
１回分の燃料を有するハウジングを有し、
点火機能における少なくとも１つの段階を選択的に行うように前記ハウジングと可動的に関連付けられた作動部材と、
前記作動部材を大力モードから小力モードに選択的に変更するための、前記ハウジングと関連付けられたラッチ部材とを有し、前記大力モードでは、前記点火機能における前記少なくとも１つの段階を実行するのに第１の作動力を前記作動部材に加えなければならず、前記小力モードでは、前記点火機能における前記少なくとも１つの段階を実行するのに第２の作動力を前記作動部材に加えなければならず、前記第１の差動力が前記第２の作動力よりも大きく、前記ラッチ部材は常態では、動かないようロックされ、
ラッチ部材に可動的に取り付けられたラッチアクチュエータを有し、第１の位置から第２の位置への前記ラッチアクチュエータの運動により、前記ラッチ部材がロック解除され、ユーザが前記ラッチ部材を作動させて前記作動部材を前記大力モードから前記小力モードに変更することができる、ライター。
【請求項４８】
前記ラッチアクチュエータは、第１の方向に動くことができ、前記ラッチ部材は第２の異なる方向に動くことができる、請求項４７記載のライター。
【請求項４９】
前記第１の方向は、前記第２の方向に対して実質的に横断方向である、請求項４８記載のライター。
【請求項５０】
前記ラッチアクチュエータは、前記ラッチ部材に摺動自在に取り付けられている、請求項４７記載のライター。
【請求項５１】
前記ラッチアクチュエータは、弾性部材により前記第１の位置に付勢されている、請求項４７記載のライター。
【請求項５２】
前記弾性部材は、前記ラッチアクチュエータ、前記ラッチ部材又は前記ハウジング内に設けられている、請求項５１記載のライター。
【請求項５３】
前記ラッチアクチュエータは、前記ラッチアクチュエータが前記第１の位置にあるとき妨害壁に係合するボスを有し、前記ラッチアクチュエータは前記第２の位置に動かすことにより、前記ボスが動かされて妨害壁との係合から離脱する、請求項４７記載のライター。
【請求項５４】
前記妨害壁は、前記作動部材又は前記ハウジングに設けられている、請求項５３記載のライター。
【請求項５５】
前記第１の作動力は、約１０ｋｇ以下である、請求項４７記載のライター。
【請求項５６】
前記点火機能における前記少なくとも１つの段階は、火花を発生させることである、請求項４７記載のライター。
【請求項５７】
前記点火機能における前記少なくとも１つの段階は、前記燃料を放出することである、請求項４７記載のライター。
【請求項５８】
前記作動部材は、選択的に燃料を放出して火花を発生させて火炎を生じさせる、請求項４７記載のライター。
【請求項５９】
前記ライターは、延長されたワンドを有する実用ライターである、請求項４７記載のライター。
【請求項６０】
実用ライターであって、
１回分の燃料を有するハウジングと、
取っ手部分から遠ざかって延び、前記取っ手部分から或る距離置いたところで前記燃料を放出する出口を有する細長いワンドと、
点火機能における少なくとも１つの段階を選択的に行うように前記ハウジングと摺動自在に関連していて作動方向に摺動できる作動部材と、
前記ハウジングと関連付けられたラッチ組立体とを有し、該ラッチ組立体の少なくとも一部が、前記作動部材を大力モードから小力モードに選択的に変更するように、第１の方向及び第２の方向に移動することができ、前記大力モードでは、前記点火機能における前記少なくとも１つの段階を実行するのに第１の作動力を前記作動部材に加えなければならず、前記小力モードでは、前記点火機能における前記少なくとも１つの段階を実行するのに第２の作動力を前記作動部材に加えなければならず、前記第１の差動力が前記第２の作動力よりも大きく、
実用ライター。
【請求項６１】
前記第１の方向は、前記第２の方向に対して実質的に横断方向である、請求項６０記載の実用ライター。
【請求項６２】
前記ラッチ組立体は、ラッチ部材に可動的に取り付けられたラッチアクチュエータを有し、前記ラッチアクチュエータは、前記第１の方向に動くことができ、前記ラッチ部材は、前記第２の方向に動くことができる、請求項６０記載の実用ライター。
【請求項６３】
前記ラッチ組立体は、第１の方向に動くことができ、第２の方向に動くことができる一体形ラッチ部材である、請求項６０記載の実用ライター。
【請求項６４】
前記第１の作動力は、約１０ｋｇ以下である、請求項６０記載の実用ライター。
【請求項６５】
前記第１の方向又は前記第２の方向は、実質的に前記作動方向とは逆である、請求項６０記載の実用ライター。